(57)【要約】  エネルギー分散型Ｘ線（ＥＤＸ）分析においては、検出器の大面積化等によって、検出される信号のピーク／バックグランド比の低下といった問題が発生していた。  上記課題を解決するために、本発明では、試料（３０１）を保持する本体部と、前記本体部に着脱自在に設けられ、当該本体部に取り付けられることによって、当該本体部に保持された試料（３０１）を固定する試料押さえ部（１０３）と、を有し、前記試料押さえ部（１０３）は、荷電粒子線（１０６）を通過させるための第１の孔（１０７）と、前記試料（３０１）から発生する信号（３０２）のうち、特定の信号（３０３）のみを検出器（１０２）へ導入する第２の孔（１０８）と、を有することを特徴とする試料ホルダ、及び当該試料ホルダを適用した荷電粒子線装置を提供する。
2015145706.tif 000002
【特許請求の範囲】
【請求項１】
試料に照射する荷電粒子線を発生させる荷電粒子源と、
当該荷電粒子線の照射により前記試料から発生した信号を検出する検出器と、を備えた荷電粒子線装置に挿入される試料ホルダであって、
前記試料を保持する本体部と、
前記本体部に着脱自在に設けられ、当該本体部に取り付けられることによって、当該本体部に保持された試料を固定する試料押さえ部と、を有し、
前記試料押さえ部は、
前記荷電粒子源と対向する面に設けられ、前記荷電粒子線を通過させるための第１の孔と、
前記検出器と対向する面に設けられ、前記試料から発生する信号のうち、特定の信号のみを前記検出器へ導入する第２の孔と、を有することを特徴とする試料ホルダ。
【請求項２】
請求項１に記載された試料ホルダであって、
前記第２の孔は、
前記試料から発生する信号のうち、特定の範囲の角度に進行する信号のみを前記検出器へ導入するように形成されることを特徴とする試料ホルダ。
【請求項３】
請求項１に記載された試料ホルダであって、
前記第２の孔は、
前記検出器と対向する面から、当該本体部に配置された試料に近づくにつれて径が小さくなるように形成されることを特徴とする試料ホルダ。
【請求項４】
請求項１に記載された試料ホルダであって、
前記第２の孔は、
前記検出器と対向する面から、当該本体部に配置された試料に近づくにつれて下り勾配を形成するように設けられることを特徴とする試料ホルダ。
【請求項５】
請求項１に記載された試料ホルダであって、
前記検出器は、当該荷電粒子線の照射により前記試料から発生したＸ線を検出するエネルギー分散型Ｘ線検出器であることを特徴とする試料ホルダ。
【請求項６】
請求項５に記載された試料ホルダであって、
前記検出器は、シリコンドリフト検出器であることを特徴とする試料ホルダ。
【請求項７】
請求項１に記載された試料ホルダであって、
前記試料押さえ部は、
前記第２の孔を複数有することを特徴とする試料ホルダ。
【請求項８】
試料を保持する試料ホルダと、
前記試料に照射する荷電粒子線を発生させる荷電粒子源と、
当該荷電粒子線の照射により前記試料から発生した信号を検出する検出器と、を備えた荷電粒子線装置であって、
前記試料ホルダは、
前記試料が配置される本体部と、
前記本体部に着脱自在に設けられ、当該本体部に取り付けられることによって、当該本体部に配置された試料を固定する試料押さえ部と、を有し、
前記試料押さえ部は、
前記荷電粒子源と対向する面に設けられ、前記荷電粒子線を通過させるための第１の孔と、
前記検出器と対向する面に設けられ、前記試料から発生する信号のうち、特定の信号のみを前記検出器へ導入する第２の孔と、を有することを特徴とする荷電粒子線装置。
【請求項９】
請求項８に記載された荷電粒子線装置であって、
前記第２の孔は、
前記試料から発生する信号のうち、特定の範囲の角度に進行する信号のみを前記検出器へ導入するように形成されることを特徴とする荷電粒子線装置。
【請求項１０】
請求項８に記載された荷電粒子線装置であって、
前記第２の孔は、
前記検出器と対向する面から、当該本体部に配置された試料に近づくにつれて径が小さくなるように形成されることを特徴とする荷電粒子線装置。
【請求項１１】
請求項８に記載された荷電粒子線装置であって、
前記第２の孔は、
前記検出器と対向する面から、当該本体部に配置された試料に近づくにつれて下り勾配を形成するように設けられることを特徴とする荷電粒子線装置。
【請求項１２】
請求項１１に記載された荷電粒子線装置であって、
前記検出器は、当該荷電粒子線の照射により前記試料から発生したＸ線を検出するＥＤＸ検出器であることを特徴とする荷電粒子線装置。
【請求項１３】
請求項１２に記載された荷電粒子線装置であって、
前記検出器は、シリコンドリフト検出器であることを特徴とする荷電粒子線装置。
【請求項１４】
請求項８に記載された荷電粒子線装置であって、
前記試料押さえ部は、
前記第２の孔を複数有することを特徴とする荷電粒子線装置。
【請求項１５】
請求項８に記載された荷電粒子線装置であって、
前記試料ホルダを傾斜する試料ホルダ傾斜部と、
前記ホルダ傾斜部を制御する制御部と、をさらに備え、
前記制御部は、
当該検出器に検出される信号のピーク／バックグラウンド比が最大となる傾斜角度となるように前記試料ホルダ傾斜部の動作を制御することを特徴とする荷電粒子線装置。
【発明の詳細な説明】
【技術分野】
【０００１】
本発明は、荷電粒子線装置用試料ホルダおよび荷電粒子線装置に関し、特に、特性X線を利用した分析の高精度化に寄与する試料ホルダ、及びこれを用いた装置に関する。
【背景技術】
【０００２】
電子顕微鏡等の荷電粒子線装置を利用した試料の組成分析のひとつとして、試料への電子線照射によって発生する特性X線をX線検出器により検出し、像観察と同時に観察視野に対応した微小領域の組成分析を行うエネルギー分散型X線分光法(Energy Dispersive X-ray Spectrometry：以下、EDXという)がある。【０００３】
EDX用の検出器として、これまでSi(Li)半導体検出器[Si(Li) Semiconductor Detector :：以下、SSD検出器という]が用いられてきた。また近年では、新たにシリコンドリフト検出器(Silicon Drift Detector：以下、SDD検出器という)が開発され、その優れた特性から期待が高まっている。【０００４】
SDD検出器は、冷却用の液体窒素が不要なことから、検出素子部の形状や大きさを比較的自由に設計可能で、対物レンズの形状に合わせて干渉しないように試料との間隔を近づけられる。このため、SSD検出器を用いた分析よりも、Ｘ線の取り込みを大立体角化し、より高感度、高エネルギー分解能な分析を実現可能にする。【０００５】
一般的に、分析の際、EDX検出器には、試料上の電子線入射点以外からの散乱X線を遮蔽するように、検出素子の直前にコリメータ(Collimator)と呼ばれる絞りを設置する。【０００６】
特許文献１には、EDX分析において所望のＸ線を精度良く検出するため、散乱Ｘ線に加えて、電子線とポールピースとの衝突により生じるシステムピークの入射を阻止する機構を有するコリメータを備えたEDX検出器について説明されている。
【先行技術文献】
【特許文献】
【０００７】
【特許文献１】特開２００３−１６１７１０号公報
【発明の概要】
【発明が解決しようとする課題】
【０００８】
しかしながら、近年、検出器の高機能化、高分解能化のために、様々な特性X線を同時に取り込めるように、検出素子は大面積化してきている。この検出素子の大面積化に伴い、試料の電子線入射点から得られる特性X線に対する散乱X線の割合はますます増加傾向にある。特に、大面積のSDD検出器を用いた場合、この傾向は顕著である。特許文献１に記載された構造においては、配置の構成上、試料とコリメータとの間にはある程度の距離が必要となるため、制限できる散乱Ｘ線の角度には限界がある。散乱X線の割合が増加するとEDXスペクトルのP/B比(Peak-to-Background Ratio)が低下し、微量元素の分析が困難となる。【０００９】
本発明は、EDX分析において発生する散乱X線等を効率的に遮蔽し、高いP/B比を実現できる試料ホルダ、及び当該試料ホルダを備えた荷電粒子線装置を提供することを目的とする。
【課題を解決するための手段】
【００１０】
上記目的を達成するための一態様として、本発明は、試料に照射する荷電粒子線を発生させる荷電粒子源と、当該荷電粒子線の照射により前記試料から発生した信号を検出する検出器と、を備えた荷電粒子線装置に挿入される試料ホルダであって、前記試料を保持する本体部と、前記本体部に着脱自在に設けられ、当該本体部に取り付けられることによって、当該本体部に保持された試料を固定する試料押さえ部と、を有し、前記試料押さえ部は、前記荷電粒子源と対向する面に設けられ、前記荷電粒子線を通過させるための第１の孔と、前記検出器と対向する面に設けられ、前記試料から発生する信号のうち、特定の信号のみを前記検出器へ導入する第２の孔と、を有することを特徴とする試料ホルダ、及び当該試料ホルダを適用した装置を提供する。
【発明の効果】
【００１１】
上記一態様によれば、より試料に近い位置で散乱X線を遮蔽できるので、その制限できる角度を狭め、EDX分析において発生する散乱X線を効率的に遮蔽し、高いP/B比を実現することができる。
【図面の簡単な説明】
【００１２】
【図１】実施例１に係る荷電粒子線装置の試料ホルダ、EDX検出器の外観を示す図
【図２】実施例１に係る試料押さえの取り付け時の様子を示す図
【図３】実施例１に係る試料押さえにより試料から発生した散乱X線等を遮蔽する様子を説明する図
【図４】実施例１に係る試料押さえによる遮蔽効果を説明する図
【図５】実施例１に係る試料ホルダと検出器との配置関係を示す上面図
【図６】本実施の形態に係る試料ホルダを適用した透過電子顕微鏡の構成を示す図
【図７】本実施の形態に係る試料ホルダを適用した走査電子顕微鏡の構成を示す図
【図８】実施例３に係る試料押さえの構成を示す図
【図９】実施例４に係るバルク試料の試料ホールド部材の構成を示す図
【図１０】実施例５に係る試料ホルダの構成を示す図
【図１１】本実施の形態に係るEDX分析におけるスペクトル結果を示すグラフ
【図１２】本実施の形態に係るEDX分析における試料傾斜角度とP/B比の関係を示すグラフ
【図１３】本実施の形態に係るEDX分析における試料傾斜角度の最適化の手順の例を示すフローチャート
【図１４】本実施の形態に係るEDX分析における試料ステージの各軸の最適化の手順の例を示すフローチャート
【図１５】本実施の形態に係るEDX分析における試料観察条件の表示の一例を示す図
【図１６】本実施の形態に係るEDX分析用の試料作製の一例を示す図
【図１７】本実施の形態に係るEDX分析用の試料作製条件の表示の一例を示す図
【図１８】本実施の形態に係る複数の電子顕微鏡装置、試料ホルダを利用してEDX分析を行う場合の動作を示すフローチャート
【図１９】本実施の形態に係る複数の電子顕微鏡、EDX検出器を利用してEDX分析を行う場合の動作を示すフローチャート
【図２０】本実施の形態に係る試料ホルダの移動機構を示した斜視図
【図２１】実施例６に係る試料押さえの構成を示す図
【発明を実施するための形態】
【実施例１】
【００１３】
本実施例では、基本的な実施形態について説明する。
[装置構成]
図６は、本実施の形態に係る透過電子顕微鏡の構成図の例である。電子顕微鏡装置６００は、主として、電子銃６０１、収束レンズ６０３、対物レンズ６０４、投射レンズ６０５、透過電子検出器６０６、レンズ電源６０７、透過電子検出器制御部６０８、全体制御部６０９、コンピュータ６１０、試料ホルダ本体部６１１、試料６１２、試料押さえ６１３、試料ホルダ制御部６１４、EDX検出器６１５、EDX検出器制御部６１６によって構成される。【００１４】
収束レンズ６０３、対物レンズ６０４、投射レンズ６０５は、それぞれレンズ電源６０７に接続され、レンズ電源６０７は全体制御部６０９に接続され、通信を行う。【００１５】
透過電子検出器６０６は、透過電子検出器制御部６０８を介して全体制御部６０９に接続され、通信を行う。【００１６】
EDX検出器６１５は、EDX検出器制御部６１６を介して全体制御部６０９に接続され、通信を行う。【００１７】
試料ホルダ６１１は、試料ホルダ制御部６１４を介して全体制御部６０９に接続され、通信を行う。【００１８】
全体制御部６０９は、コンピュータ６１０と接続され、通信を行う。コンピュータ６１０は、ディスプレイ等の表示手段を有する出力部と、マウスやキーボード等の入力部を備える。【００１９】
ここで、本実施の形態の透過電子顕微鏡では、全体制御部６０９から送信される信号に従ってレンズ電源６０７、透過電子検出器制御部６０８、試料ホルダ制御部６１４、EDX検出器制御部６１６が各部分の制御を行う例について説明したが、これらは一つの制御部に統一されてもよいし、また、このほかにも各部分の動作を制御する制御部が含まれていてもよい。【００２０】
電子銃６０１から放出された電子線６０２は、収束レンズ６０３を通って試料ホルダ本体部６１１に搭載された試料６１２に照射される。試料ホルダ本体部６１１には、図示しない試料メッシュ上に配置された試料６１２が搭載され、着脱可能な試料押さえ６１３を試料６１２の上から装着する。【００２１】
ここで、試料押さえ６１３の構成については、本図においては詳細を省略しているが、図１を用いて後述する。【００２２】
電子線６０２が試料６１２に照射されると、電子線６０２は試料６１２を透過する。透過した電子線６１２は対物レンズ６０４により結像され、投射レンズ６０５にて拡大される。【００２３】
その後、投射レンズ６０５を通過した電子線６０２は透過電子検出器６０６によって検出される。透過電子検出器６０６は、透過電子検出器制御部６０８を介して検出された電子を信号として全体制御部６０９に送る。【００２４】
全体制御部６０９は、受信した信号を画像に変換し、必要に応じて画像処理等を行う。その後、画像データはコンピュータ６１０の表示手段に表示される。
この透過電子像において、収束した電子線を利用してEDX分析時の位置指定を行うこともできる。【００２５】
試料ホルダ本体部６１１及び試料ホルダ制御部６１４は、試料微動機構と傾斜機構を備える。この試料微動と傾斜機構の動作の調整により、試料を最適な分析条件となる位置に配置することができる。【００２６】
図２０は、試料ホルダの移動機構を示した斜視図である。Ｘ微動機構２００１は、試料ホルダ制御部６１４の指示に基づいて試料ホルダ１００の試料ホルダ本体部６０１をＸ方向に移動させる。Ｙ微動機構２００２は、試料ホルダ制御部６１４の指示に基づいて試料ホルダ１００の試料ホルダ本体部６０１をＹ方向に移動させる。【００２７】
EDX検出器６１５は、電子線６０２が試料６１２へ照射されることで発生する特性X線を検出し、EDX検出器制御部６１６に送信する。EDX検出器制御部６１６には、例えばアナライザ等が用いられ、受信した特性X線のエネルギー選別を行ったのち、信号として全体制御部６０９に送信する。全体制御部６０９は、受信した信号に基づいてEDXスペクトルを取得し、必要に応じてエネルギー補正処理、定量計算処理等のデータ処理を行う。その後、EDXスペクトルはコンピュータ６１０の表示手段に表示される。【００２８】
図７は、本実施の形態に係る走査電子顕微鏡の構成図の例である。電子顕微鏡装置７００は、電子銃７０１、収束レンズ７０３、レンズ電源７０７、全体制御部７０９、コンピュータ７１０、試料ホルダ本体部７１１、試料７１２、試料押さえ７１３、試料ホルダ制御部７１４、EDX検出器７１５、EDX検出器制御部７１６、走査電極７１８、走査電源７１９、二次電子／反射電子検出器７２０、二次電子／反射電子検出器制御部７２１を有する。【００２９】
収束レンズ７０３は、レンズ電源７０７に接続され、レンズ電源７０７は全体制御部７０９に接続され、通信を行う。【００３０】
二次電子／反射電子検出器７２０は、二次電子／透過電子検出器制御部７２１を介して全体制御部７０９に接続され、通信を行う。【００３１】
EDX検出器７１５は、EDX検出器制御部６１６を介して全体制御部７０９に接続され、通信を行う。【００３２】
試料ホルダ７１１は、試料ホルダ制御部７１４を介して全体制御部７０９に接続され、通信を行う。【００３３】
走査電極７１８は、走査電源７１９を介して全体制御部７０９に接続され、通信を行う。【００３４】
全体制御部７０９は、コンピュータ７１０と接続され、通信を行う。コンピュータ７１０は、ディスプレイ等の表示手段を有する出力部と、マウスやキーボード等の入力部を備える。【００３５】
ここで、本実施の形態の走査電子顕微鏡では、全体制御部７０９から送信される信号に従ってレンズ電源７０７、二次電子／反射電子検出器制御部７２１、試料ホルダ制御部７１４、EDX検出器制御部７１６、走査電源７１９が各部分の制御を行う例について説明したが、これらは一つの制御部に統一されてもよいし、また、このほかにも各部分の動作を制御する制御部が含まれていてもよい。【００３６】
電子銃７０１から放出された電子線７０２は収束レンズ７０３を通って試料ホルダ７１１本体部に搭載された試料７１２に照射される。走査電極７１８は、電子線７０２を試料上で走査する。試料ホルダ本体部７１１には試料７１２が搭載され、着脱可能な試料押さえ７１３を試料７１２の上から装着する。【００３７】
ここで、試料押さえ７１３の構成については、本図においては詳細を省略しているが、図１を用いて後述する。【００３８】
電子線７０１が試料７１２に照射されると、試料７１２からは二次電子や反射電子が放出される。二次電子や反射電子は、二次電子／反射電子検出器７２０によって検出されたのち、信号として二次電子／反射電子検出器制御部７２１に送られる。ここで、二次電子／反射電子検出器制御部７２１は信号増幅手段を有し、得られた信号を増幅処理したのちに、全体制御部７０９に送る。【００３９】
全体制御部７０９は、受信した信号を画像に変換し、必要に応じて画像処理等を行う。その後、画像データはコンピュータ７１０の表示手段に表示される。【００４０】
走査電子顕微鏡では試料面を走査した際に放出される二次電子や反射電子を用いるため、表示される画像は走査画像である。この走査画像を利用して、EDX分析時の位置指定を行うこともできる。また、走査電子顕微鏡に透過電子検出器を備え、走査透過電子顕微鏡画像を取得できるようにしてEDX分析時の位置を指定しても良い。【００４１】
試料ホルダ本体部７１１及び試料ホルダ制御部７１４は、図示しない試料微動機構と傾斜機構を備える。この試料微動と傾斜機構の動作を調整により、試料を最適な分析条件となる位置に配置することができる。【００４２】
ここで、図２０において、Ｘ微動機構２００１は、試料ホルダ制御部７１４の指示に基づいて試料ホルダ１００の試料ホルダ本体部７０１をＸ方向に移動させる。Ｙ微動機構２００２は、試料ホルダ制御部７１４の指示に基づいて試料ホルダ１００の試料ホルダ本体部７０１をＹ方向に移動させる。【００４３】
EDX検出器７１５は、電子線７０２が試料７１２へ照射されることで発生する特性Ｘ線を検出し、EDX検出器制御部７１６に送信する。EDX検出器制御部７１６には、例えばアナライザ等が用いられ、受信した特性X線のエネルギー選別を行ったのち、信号として全体制御部７０９に送信する。全体制御部７０９は、受信した信号に基づいてEDXスペクトルを取得し、必要に応じてエネルギー補正処理、定量計算処理等のデータ処理を行う。その後、EDXスペクトルはコンピュータ７１０の表示手段に表示される。【００４４】
透過電子顕微鏡では通常、薄膜試料を観察、分析するが、走査電子顕微鏡では薄膜以外にバルク試料も観察、分析する。バルク試料についても、試料を保持する部材にコリメーション機能を備えることでP/B比の向上を図ることが可能である。バルク試料を扱う場合の例については、実施例４において後述する。
[試料ホルダ]
図１は、本実施の形態に係る荷電粒子線装置の試料ホルダ、EDX検出器の外観を示す図である。【００４５】
試料ホルダ１００は、試料を搭載する試料ホルダ本体部１０１と、搭載後の試料を上部から固定する試料押さえ１０３と、から構成される。【００４６】
試料押さえ１０３は、電子線１０６を入射させるための第１の孔１０７を、電子銃１０５と対向する面に有し、電子線照射によって試料から発生するX線のうち、目的の特性X線のみをEDX検出器へ導入するための第２の孔１０８を、側面に有している。すなわち、第２の孔１０８は、試料の内部を通過した特性X線を選択的に検出するための導入孔となる。ここで、第２の孔１０８は、１つのEDX検出器１０２に対して、少なくとも１つ以上必要となる。EDX検出器１０２が試料の上下左右に、複数存在する場合には、試料押さえ１０３には、それぞれの検出器に対応する第２の孔１０８を設ける。第１の孔１０７については、第２の孔１０８の数にかかわらず、１つあれば良い。第１の孔１０７は、直径が小さい方がよりP/B比向上が見込めるため、観察可能な視野範囲の大きさを考慮しつつ、可能な限り小さく設定することが望ましい。【００４７】
なお、本図において説明した試料押さえ１０３は、図６における試料押さえ６１３、図７における試料押さえ７１３として適用することができる。【００４８】
図５は、本実施の形態に係る試料ホルダと検出器との配置関係を上から見た図である。本図に示すように、検出器１０２の検出面は、試料ホルダ本体部１０１に設置された試料押さえ１０３が備える第２の孔１０８に対向するように配置される。本図では、EDX検出器１０２が１つの場合を示したが、複数の検出器を備える場合には、同様に、追加したEDX検出器１０２の検出面と対向する位置に第２の孔１０８を設けるように構成する。【００４９】
図２は、試料押さえの取り付け時の様子を示す図である。試料押さえ１０３は、試料本体部１０１に対して着脱可能な構成を備え、使用時には本図に示すように試料本体部１０１の上方から嵌め込むようにして装着することができる。【００５０】
図３は、試料から発生した散乱X線等を試料押さえによって遮蔽する様子を説明する図である。本図に示すように、電子銃１０５から放出された電子線１０６は、試料押さえ１０３が有する第１の孔１０７を通過して試料３０１に照射される。この照射によって試料３０１から種々の方向に発生したＸ線３０２のうち、試料押さえ１０３が有する第２の孔１０８を通過できた特性X線３０３のみが、EDX検出器１０２へ導かれ、第２の孔１０８を通過できなかったそれ以外の散乱X線は試料押さえ１０３によって遮蔽される。【００５１】
上記の態様によれば、試料ホルダ１００における試料押さえ１０３が備える構成により、試料により近い位置でコリメーションすることができるので、従来のEDX検出器１０２が備えるコリメータでは遮蔽できなかった散乱X線や反射電子の検出をもカットすることができる。【００５２】
このため、P/B比が向上し、試料に含まれる微量元素の検出下限を改善できるようになる。【００５３】
さらに、EDX検出器１０２にコリメータを設けている場合には、交換の際、その都度試料室を大気に開放する必要があった。しかし上記の態様によれば、試料ホルダ１００を荷電粒子線装置から取り出して容易にコリメータを交換できるので、分析のスループットの向上にも寄与する。また、本実施の形態に係る試料押さえ１０３の遮蔽機構と、EDX検出器１０２のコリメータとを組み合わせて利用する場合にも、前者によって試料近くの散乱X線等を遮蔽できるので、結果として後者の交換頻度を低減することができる。【００５４】
ここで、上記の態様における試料押さえ１０３の構造によれば、上述の通り試料により近い位置でコリメーションできることから、EDX検出器１０２が備えるコリメータだけでなく、投射レンズ系の絞りと比較しても、より効果的に散乱X線等をカットすることができる。【００５５】
図４は、本実施の形態に係る試料押さえによる遮蔽効果を説明する図である。（ａ）は本発明の実施の形態に係る試料押さえを用いた様子、すなわち、試料押さえ側、EDX検出器側のそれぞれに備えた構造の組み合わせによって遮蔽を行う場合について示し、（ｂ）は従来の試料押さえを用いた様子、すなわち、EDX検出器側に備えた構造によってのみ遮蔽を行う場合について示す。【００５６】
試料ホルダ本体部１０１上に、試料３０１が配置され、上から試料押さえ１０３によって固定される。電子銃１０５から放出された電子線１０６が試料３０１に照射されると、試料３０１からは様々な方向にX線が発生する。【００５７】
X線を検出するEDX検出器４０３は、EDX検出素子４０１とコリメータ４０２を有する。EDX検出素子４０１とコリメータ４０２の組み合わせのみによってコリメーションする場合には、（ａ）、（ｂ）にて示した短破線により形成される角度範囲βが特性X線の検出対象領域となる。【００５８】
ここで、（ｂ）に示した従来型の試料押さえ４０５の役割は、単に試料を固定するのみであって、散乱X線等を遮蔽する効果に対しては一切寄与しない。一方、（ａ）に示した本発明の実施の形態に係る試料押さえ１０３では、上述したように電子線１０６が通過する第１の孔１０７の他に、目的の特性X線のみをEDX検出器４０３へ導入する第２の孔１０８を有している。この第２の孔１０８によって形成される特性X線の導入角度、すなわち、本図において長破線により形成される角度範囲αが特性X線の検出対象領域となるので、上述のEDX検出器４０３の構成のみによって遮蔽する場合の角度範囲βよりもより検出範囲を狭くすることができる。【００５９】
このように、本実施の形態に係る試料押さえ１０３を用いた場合、試料３０１から発生した目的の特性X線以外の散乱X線や反射電子だけでなく、例えば対物レンズ４０４等、試料３０１以外の領域から発生される不要なX線等、これまでは遮蔽できなかった散乱X線の検出を防ぎ、より高いコリメーション効果を得ることができる。【００６０】
また、本実施の形態に係る試料押さえ１０３は、EDX検出器４０３や、荷電粒子線装置内のレンズの交換等の大がかりな変更を伴わずに、単体で比較的簡単に交換することができる。よって、試料押さえ１０３の第２の孔１０８の径の大きさや、形状、傾斜角度等の条件を交換により変更することで、EDX分析時の検出立体角が調整可能となる。これにより、荷電粒子線装置本体やEDX検出器、またはその組み合わせを変更した場合にも、比較的簡単に、かつ低コストで分析の目的に合わせた条件設定が可能となる。【００６１】
さらに、例えばEDX分析の対象となる試料の組成に応じて、試料押さえ１０３を構成する材質自体も変更可能である。例として、アルミニウム、カーボン、銅、ベリリウム、ジルコニウム等がある。試料押さえ１０３の材質は、EDXスペクトルにシステムピークとして現れる。そのため、分析条件に応じて、できるだけ試料に含まれている可能性のある材質以外のものを用いて構成された試料押さえ１０３を選択することができる。また、試料３０１中の成分のピークによるエネルギーと、試料押さえ１０３によるシステムピークのエネルギーとが近くならないように、適切な材質を選択することが望ましい。例えば、注目元素がS-Ka : 2.31keVの場合にはMo-La : 2.29keVの試料押さえ１０３は避けるように、それ以外の材質で構成される試料押さえ１０３を選択することができる。このほか、試料押さえ１０３の材質を試料ホルダ本体部１０１や不図示の試料台と同一のものにすることで、EDXスペクトルのシステムピークを最小限に抑えることもできる。【００６２】
このように、試料押さえ１０３のみを簡単に装着、交換することが可能であるため、既存の荷電粒子線装置を用いたEDX分析にも容易に適用することができる。
【実施例２】
【００６３】
[EDX分析]
本実施例では、上述の実施例１に係る試料押さえ１０３を適用した場合のP/B向上効果についてEDX分析結果を用いて説明する。図１１は、NiOx薄膜試料から取得されるEDX分析結果のスペクトルの一例を示すグラフである。本グラフにおいて、横軸はエネルギー範囲、縦軸がピークの強度（カウント数）である。【００６４】
EDXスペクトルのP/B比は，例えばFioriの式(１)〜(３)を用いて算出される。
P/B  ＝  50×P/B500        ・・・式(１)
P  ＝  P1−B500          ・・・式(２)
B500  ＝  (B1＋B2)/2       ・・・式(３)
・P/B比(Peak to Background Ratio)：ピークとバックグラウンドの比
・P1 ,P2 (Peak)：Ni- Kαピーク、Ni- Kβピークを中心とした500 eVのエネルギー幅におけるカウント数の積算値
・B1, B2 (Background)：図１１のB1, B2それぞれのエネルギー幅におけるカウント数の積算値
・B500：B1とB2の平均値
ここで、Ni- Kαピークは、試料に入射した電子がNiのL殻→K殻に移動する際に検出される特性X線を示し、Ni- Kbピークは、試料に入射した電子がNiのM殻→K殻に移動する際に検出される特性X線を示す。【００６５】
次に、図１２は、本実施の形態に係る試料押さえ１０３を適用したEDX分析における試料傾斜角度とP/B比の関係を示すグラフである。同一の試料に対して、実施例１に係る遮蔽機構を備えた試料押さえ１０３を用いた場合と、当該機構を備えない（従来の）試料押さえを用いた場合とにおいて、それぞれEDX分析を行ってEDXスペクトルを取得し、上述した手法により求めたP/B比と、試料の傾斜角度の関係を本グラフにプロットした。本グラフにおいて、横軸が試料の傾斜角度、縦軸がP/B比である。【００６６】
遮蔽機構を備えた試料押さえ１０３では、試料の傾斜角度を最適化することにより、P/B比が極大となる領域が示された。一方、当該機構を備えない試料押さえ４０５では、試料傾斜角度の変化によるP/B比への影響は小さいことがわかる。また、遮蔽機構を備えた試料押さえ１０３では、当該機構を備えない試料押さえ４０５と比較して、P/B比が極大領域で３割程度改善することがわかった。【００６７】
この結果から、試料ホルダの構成を変えずに、実施例１に係る試料押さえ１０３を適用するのみでP/B比の大幅な改善が可能であることが確認された。【００６８】
図１３は、最適なEDX分析条件を設定するための試料傾斜角度の調整手順の例を示すフローチャートである。まず、実施例１に係る試料押さえ１０３を、試料を搭載した試料ホルダ本体部１０１に装着し、試料を傾斜しながら、電子線１０６を試料に照射して連続的にEDXスペクトルを取得する（Ｓ１３０１）。次に、得られたEDXスペクトルから、試料中の目的とする構成元素に対してP/B比を求め、試料傾斜角度との関係を示すグラフを作成する（Ｓ１３０２）。そして、作成したグラフに基づき、極大値が示された試料傾斜角度へ再度移動し（Ｓ１３０３）、点、線、面、定量、相分析といった目的のEDX分析を実施する（Ｓ１３０４）。最適分析条件を決定するにあたり、コンタミネーションや電子線ダメージが顕著な試料においては、分析希望領域の近傍で最適試料傾斜角度を求めたのちに、目的のEDX分析を実施するようにしても良い。試料の傾斜角度の間隔は、試料ステージの精度に依存するものの、試料ステージの最小ステップにて行うことが望ましい。しかし、この場合測定時間が長くなるので、所定の分析時間内において、EDXスペクトルを数秒間隔で取得しながら、試料を連続的に傾斜することで、大まかなP/B比の変化を把握しても良い。その後、P/B比の高い角度範囲において、より細かな傾斜角度の間隔で、かつより長いEDXスペクトル取得時間で再測定することで正確な極大座標を求めることもできる。【００６９】
上記の説明では、試料の傾斜とP/B比との関係について述べたが、試料形状やステージ座標の水平(X軸)、垂直(Y軸)、高さ(Z軸)、など、種々のパラメータの変化によってP/B比は変化するため、必要に応じて、試料ステージの微動機構等を用いて試料押さえ１０３の位置を微調整してもよい。【００７０】
図１４は、最適なEDX分析条件を設定するための試料ステージの各軸を調整手順の例を示すフローチャートである。【００７１】
まず、実施例１に係る試料押さえ１０３を、試料を搭載した試料ホルダ本体部１０１に装着し、試料ステージのX、Y、Z軸及び傾斜軸をそれぞれ変化させながら試料を傾斜しながら、電子線１０６を試料に照射して連続的にEDXスペクトルを取得する（Ｓ１４０１）。次に、得られたEDXスペクトルから、試料中の目的とする構成元素に対してP/B比を求め、試料ステージ座標との関係を示すグラフを作成する（Ｓ１４０２）。そして、作成したグラフに基づき、極大値が示された試料ステージ座標へ再度移動し（Ｓ１４０３）、点、線、面、定量、相分析といった目的のEDX分析を実施する（Ｓ１４０４）。【００７２】
上述の図１３において示した例と同様に、最適分析条件を決定するにあたり、コンタミネーションや電子線ダメージが顕著な試料においては、分析希望領域の近傍で最適な試料ステージ座標を求めたのちに、目的のEDX分析を実施するようにしても良い。また、試料ステージ座標を変化させる間隔は、試料ステージの精度に依存するものの、試料ステージの最小ステップにて行うことが望ましい。しかし、この場合測定時間が長くなるので、所定の分析時間内において、EDXスペクトルを数秒間隔で取得しながら、試料ステージを連続的に移動することで、大まかなP/B比の変化を把握しても良い。その後、P/B比の高い角度範囲において、より細かな試料ステージの座標間隔で、かつより長いEDXスペクトル取得時間で再測定することで正確な極大座標を求めることもできる。【００７３】
図１５は、電子顕微鏡等の荷電粒子線装置を制御する制御ソフトウェアのStage control（試料ステージ座標制御）ウインドウの例である。Stage controlウインドウ１５０１は、試料の現在位置や、記憶された位置、軌跡などを表示する移動範囲表示部１５０２と、現在位置の位置情報(Specimen position)を表示する位置情報表示部１５０３からなる。移動範囲表示部１５０２には、試料ホルダ本体部１０１と試料押さえ１０３の組み合わせによって変化する観察可能範囲１５０４を表示できるようにする。また、観察可能範囲１５０４内には、EDX分析に適した座標範囲１５０５も表示できるようにする。【００７４】
図１６は、良好なEDXスペクトルを取得するためのFIB装置(Focused Ion Beam、以下単にFIBという)を用いた試料作製方法の一例を示す図である。FIBのマイクロサンプリング等により、（１）に示すような試料台１６０１に試料を固定する方法では、例えば（２）に点線丸で示すように、EDX分析に適した、試料台の中心及びその周辺の座標範囲１６０２内に収まるように試料１６０３を固定する。試料１６０３を固定する際には、（３）に示すように試料台１６０１に試料１６０３をマニピュレータ１６０４で運搬し、固定する。【００７５】
電子顕微鏡やFIB、イオン顕微鏡等の荷電粒子線装置内にマニピュレータを組み込んで試料作製、試料運搬等する際には、図１７に示すように、制御ソフトウェアのStage control（試料ステージ座標制御）ウインドウ１７０１の移動範囲表示部１７０２にEDX分析に適した試料固定位置の座標範囲１７０４を表示する。ウインドウ１７０１は、現在位置の位置情報を表示する位置情報表示部１７０３を有する。一方、マニピュレータ等を用いず、バルク状の試料の断面加工や薄膜化を実施する際には、加工位置がEDX分析に適した座標範囲１７０４に入るようにすればよい。【００７６】
図１８は、複数の電子顕微鏡装置、あるいは複数の試料ホルダを選択、交換してEDX分析を行う場合の操作手順を示すフローチャートである。まず、EDX分析を行う電子顕微鏡装置を選択する（Ｓ１８０１）。次に、選択した電子顕微鏡装置の試料ステージに導入する試料ホルダ１００の種類を選択する（Ｓ１８０２）。そして、選択した試料ホルダ１００の試料ホルダ本体部１０１に装着する試料押さえ１０３の種類を選択する（Ｓ１８０３）。ここで、試料ホルダ１００、試料押さえ１０３の選択は、上述の試料ステージ制御ソフトウェアを通じて制御部に指示することで実行できる。次に、試料ステージの座標領域を、ウィンドウ上に表示させ（Ｓ１８０４）、EDX分析の対象となる領域に移動させる（Ｓ１８０５）。ここで、EDX分析の対象領域のうち、特に分析に適した領域について、予め標準試料等を用いて実験によって求めるか、シミュレーション等を用いて求めておくこともできる。試料ステージを移動後、目的のEDX分析を実施する（Ｓ１８０６）。【００７７】
図１９は、同一の試料、及び同一の試料ホルダを用いて、複数の電子顕微鏡装置あるいはEDX検出器でEDX分析を行う場合の操作手順を示すフローチャートである。まず、EDX分析を行う電子顕微鏡装置を選択する（Ｓ１９０１）。次に、選択した電子顕微鏡装置の試料ステージに導入する試料ホルダ１００の種類を選択する（Ｓ１９０２）。そして、選択した試料ホルダ１００の試料ホルダ本体部１０１に装着する試料押さえ１０３の種類を選択する（Ｓ１９０３）。ここで、試料ホルダ１００、試料押さえ１０３の選択は、上述の試料ステージ制御ソフトウェアを通じて制御部に指示することで実行できる。次に、試料ステージの座標領域を、ウィンドウ上に表示させ（Ｓ１９０４）、EDX分析の対象となる領域に移動させる（Ｓ１９０５）。試料ステージを移動後、目的のEDX分析を実施する（Ｓ１９０６）。その後、別の電子顕微鏡装置でEDX分析を実施するかどうか判断する（Ｓ１９０７）。実施しない場合には終了となり、実施する場合には分析を実施した電子顕微鏡装置から試料ホルダ１００を取り外し、分析後の試料押さえ１０３を、次のEDX分析に使用する電子顕微鏡用のものと交換する（Ｓ１９０８）。その後、次にEDX分析を行う電子顕微鏡装置に試料ホルダ１００を挿入し、同様にEDX分析を繰り返し実施する。【００７８】
この手順において、EDX分析に適したステージ座標領域は、電子顕微鏡装置の対物レンズ形状、EDX検出器の素子等、種々の条件によって異なるため、標準試料などを用いて、予め各組み合わせにおいて実験を行うことによって求めるか、あるいはシミュレーション等を用いて求めても良い。このように、試料押さえ１０３を、それぞれの電子顕微鏡装置とEDX検出器の組み合わせに合わせて複数種類準備しておくことで、異なる装置で分析する際にも、試料押さえ１０３の簡単な交換動作のみで、最適なEDX分析を行うことができるようになる。【００７９】
また、EDX分析に限らず、例えばFIBでの試料作製や電子顕微鏡での観察あるいは分析等の際に、目的に応じて様々な形状、材質の試料押さえ１０３を準備し、交換できるようにしておくことで、簡単に観察視野径や試料傾斜制限、試料に対する電子／イオンビーム入射方向の制限範囲などそれぞれのプロセスに応じた条件を最適化できる。【００８０】
本実施例で述べたEDX検出器は、SDD以外にも適用でき、例えばSi(Li)検出器などにも効果がある。EDX検出器の検出立体角に応じて、試料押さえ１０３の形状を変更することで、最適なEDXスペクトルを取得できる。【００８１】
また、上述の実施の形態では、X線分析についての適用例を説明したが、例えばカソードルミネッセンス(CL : Cathodoluminescence)などの真空中で試料へ電子線を照射した際に放出される光の分析などへも応用が期待できる。
【実施例３】
【００８２】
上述の実施例では、試料押さえが散乱X線等の遮蔽機構を備える構成について説明した。本実施例では、さらに、上述の遮蔽機構に加えて、試料に対する不要な電子線の照射を抑制する機構を備えた試料押さえの構成について説明する。【００８３】
図８は、実施例３に係る試料押さえの構成を示す図である。実施例１とは、試料押さえ１０３の有する第１の孔１０７に傾斜を持たせず、かつ径を小さくするように構成している点で異なる。このように構成することにより、本図に示すように不要な電子線８０１は試料押さえ１０３によってブロックされ、試料３０１に照射されることがなくなる。試料により近い位置で、不要な電子線８０１の照射を制限できるので、上述の遮蔽効果に加えて、同時に照射レンズ系の絞りとしての効果も得ることができる。
【実施例４】
【００８４】
本実施例では、バルク試料を取り扱う場合の変形例について説明する。図９は、実施例４に係る試料ホールド部材の構成を示す図である。本図に示すように、バルク試料９０１は、上述の実施例における試料押さえ１０３に代えて、試料ホールド部材９０２によって固定される。試料ホールド部材９０２は、バルク試料９０１全体を覆うように構成され、電子線１０６を入射させるための第１の孔９０３を、電子銃１０５と対向する面に有し、電子線照射によってバルク試料９０１から発生する散乱X線等を遮蔽するための第２の孔９０４を、側面に有している。第２の孔９０４は、バルク試料９０２から発生した特性X線を選択的に検出するための導入孔となる。
【実施例５】
【００８５】
上述の実施例では、主に試料を固定する部材に散乱X線等の遮蔽機構を備える構成について説明した。本実施例では、試料ホルダ本体部に当該機構を備える構成について説明する。図１０は、遮蔽機構を備える試料ホルダ本体部１０１の構成を示す図である。試料ホルダ本体部１０１は、電子線１０６を入射させるための第１の孔１００１を、電子銃１０５と対向する面に有し、電子線照射によって試料から発生する散乱X線等を遮蔽するための第２の孔１００２を、側面に有している。すなわち、第２の孔１００２は、試料の内部を通過した特性X線を選択的にEDX検出器１０２により検出させるための導入孔となる。
【実施例６】
【００８６】
ところで、EDX分析においては、より高いスループットが要求される場合がある。本実施例では、上述の実施例における遮蔽機構を備えた試料押さえ１０３に代えて、試料３０１の一部のみを固定する構成を備える試料押さえ２１０１について説明する。図２１は、本実施例に係る試料押さえの構成を示す図である。本図に示す構成によれば、試料３０１は一部のみ試料押さえ２１０１により固定されている。すなわち、試料押さえ２１０１にて試料３０１から発生するX線２１０２がカットされないように、EDX検出器１０２側の部分を削除している。このため、電子銃１０５から放出された電子線１０６が試料３０１に照射されることで発生したＸ線２１０２は、試料押さえ２１０１に遮蔽されることなく、EDX検出器１０２に向かって進行する。
より高いスループットを実現する試料押さえの構成について説明する。【００８７】
上記の態様によれば、実施例１において説明した試料押さえ１０３を用いたEDX分析と比較してP/B比は低くなるが、カウント毎秒(Counts per second : CPS)の向上が見込めるため、分析対象試料の大まかな組成の高速分析が可能となる。また、EDXスペクトルに対する試料傾斜の影響が小さいため、電子線入射軸に傾斜を合わせる必要のある結晶性試料などにも有効である。【００８８】
なお、本発明は上記した実施例に限定されるものではなく、様々な変形例が含まれる。例えば、上記した実施例は本発明をわかりやすく説明するために詳細に説明したものであり、必ずしも説明した全ての構成を備えるものに限定されるものではない。また、ある実施例の構成の一部を他の実施例の構成に置き換えることも可能であり、また、ある実施例に他の実施例の構成を加えることも可能である。また、各実施例の構成の一部について、他の構成の追加、削除、置換をすることが可能である。【００８９】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリやハードディスク、SSD等の記録装置、または、ICカード、SDカード、DVD等の記録媒体に置くことができる。【００９０】
また、制御線や情報線は説明上必要と考えられるものを示しており、製品上必ずしもすべての制御線や情報線を示しているとは限らない。実際には殆どすべての構成が相互に接続されていると考えてもよい。
【符号の説明】
【００９１】
１００・・・試料ホルダ
１０１・・・試料ホルダ本体部
１０２・・・EDX検出器
１０３・・・試料押さえ
１０５・・・電子銃
１０６・・・電子線
１０７・・・（試料押さえの）第１の孔
１０８・・・（試料押さえの）第２の孔
３０１・・・試料
３０２・・・試料から発生したX線
３０３・・・特性X線
４０１・・・EDX検出器
４０２・・・コリメータ（EDX検出器側）
４０３・・・EDX検出器
４０４・・・対物レンズ
４０５・・・従来型の試料押さえ
６００・・・電子顕微鏡装置
６０１・・・電子銃
６０２・・・電子線
６０３・・・収束レンズ
６０４・・・対物レンズ
６０５・・・投射レンズ
６０６・・・透過電子検出器
６０７・・・レンズ電源
６０８・・・透過電子検出器制御器
６０９・・・全体制御部
６１０・・・コンピュータ
６１１・・・試料ホルダ本体部
６１２・・・試料
６１３・・・試料押さえ
６１４・・・試料ホルダ制御部
６１５・・・EDX検出器
６１６・・・EDX検出器制御部
７００・・・電子顕微鏡装置
７０１・・・電子銃
７０２・・・電子線
７０３・・・収束レンズ
７０７・・・レンズ電源
７０９・・・全体制御部
７１０・・・コンピュータ
７１１・・・試料ホルダ本体部
７１２・・・試料
７１３・・・試料押さえ
７１４・・・試料ホルダ制御部
７１５・・・EDX検出器
７１６・・・EDX検出器制御部
７１８・・・走査電極
７１９・・・走査電源
７２０・・・二次電子／反射電子検出器
７２１・・・二次電子／反射電子検出器制御部
８０１・・・不要な電子線
９０１・・・バルク試料
９０２・・・試料ホールド試料
９０３・・・（試料ホールド部材の）第１の孔
９０４・・・（試料ホールド部材の）第２の孔
１００１・・・（試料ホルダの）第１の孔
１００２・・・（試料ホルダの）第２の孔
１５０１・・・Stage controlウィンドウ
１５０２・・・移動範囲表示部
１５０３・・・位置情報表示部
１５０４・・・観察可能範囲
１５０５・・・EDX分析に適した座標範囲
１６０１・・・試料台
１６０２・・・EDX分析に適した座標範囲
１６０３・・・試料
１６０４・・・マニピュレータ
１７０１・・・Stage controlウィンドウ
１７０２・・・移動範囲表示部
１７０３・・・位置情報表示部
１７０４・・・EDX分析に適した座標範囲
２００１・・・Ｘ微動機構
２００２・・・Ｙ微動機構
２１０１・・・試料押さえ
２１０２・・・Ｘ線
【図１】
2015145706.tif 000003
【図２】
2015145706.tif 000004
【図３】
2015145706.tif 000005
【図４】
2015145706.tif 000006
【図５】
2015145706.tif 000007
【図６】
2015145706.tif 000008
【図７】
2015145706.tif 000009
【図８】
2015145706.tif 000010
【図９】
2015145706.tif 000011
【図１０】
2015145706.tif 000012
【図１１】
2015145706.tif 000013
【図１２】
2015145706.tif 000014
【図１３】
2015145706.tif 000015
【図１４】
2015145706.tif 000016
【図１５】
2015145706.tif 000017
【図１６】
2015145706.tif 000018
【図１７】
2015145706.tif 000019
【図１８】
2015145706.tif 000020
【図１９】
2015145706.tif 000021
【図２０】
2015145706.tif 000022
【図２１】
2015145706.tif 000023
【国際調査報告】
2015145706.tif 000024
2015145706.tif 000025
2015145706.tif 000026
2015145706.tif 000027